(57)【要約】【課題】車椅子を利用する身障者や要介護者等によっても、手動で簡単に左右折戸が機械的に連動する簡略な構造の連動引分式折戸装置を提供する。【解決手段】第１回動支点の折戸の枢軸と、第２回動支点の押圧突起３０・３１を折戸の折り込み方向前後にずらし、両回動支点の間に折曲支点のギヤヒンジ２１を配設する。引分戸Ｄの開時は、一側の折戸の折れ曲がり初期動作に従って、該折戸の戸先側パネル上の押圧突起３０が係合した一方のスライダ４０が押されてガイドレール３５に沿って戸尻側へ向けスライドし、それと一体に連動ワイヤー５０が一方向に回動し始めると、他側の直線ワイヤー部５０ｂに締結した他方のスライダ４１が他側直線ワイヤー部の移動に従って、一方のスライダと反対の戸尻側へスライドし、この他方のスライダに戸先側パネル上の押圧突起３１が押されると、それを契機に他側の折戸も一側の折戸の折れ曲がり動作に連動し折り曲がり始める。【選択図】          図１
2008280766.tif 000002
【特許請求の範囲】
【請求項１】
２枚のパネルを折り曲げ自在に連結した左右一対の折戸を直列に配設して面一な引分戸を形成し、その引分戸の開時は、一側の折戸が折れ曲がる開放初期動作に、折戸連動機構によって連動させて他側の折戸を折り曲げながら、前記引分戸を左右に開放する連動引分式折戸装置において、
前記引分戸は、
左右の前記折戸を、それぞれ２枚の前記パネルを折曲支点のヒンジを介して折り曲げ自在に連結すると共に、戸尻側の前記パネルをそれぞれ戸枠に第１回動支点の枢軸を中心として回動自在に支持する一方、
前記折戸連動機構は、
前記引分戸に対し、前記戸枠の上枠部と直交する前記折戸の折り込み方向に横にずらして前記上枠部の長さ方向に沿って固定するガイドレールと、
それぞれ下面に有した突起係合穴を下向きとし、上部を前記ガイドレールでスライド自在に保持する一対のスライダと、
前記上枠部の両端側に回転自在に軸支した左右一対の滑車間に掛け回し、一側の直線ワイヤー部に一方の前記スライダを締結する一方、他側の直線ワイヤー部に他方の前記スライダを締結して往復回動可能に巻装した連動ワイヤーと、
前記折戸の隣り合う戸先側パネルの上端に固定し、それら戸先側パネルから前記折戸の折り込み方向と反対向きに突設した取付部材と、
該取付部材にそれぞれ立設して前記スライダの前記突起係合穴に係合する第２回動支点の押圧突起と、を備え、
第２回動支点の該押圧突起と第１回動支点の前記枢軸とを前記折戸の折り込み方向前後にずらし、両回動支点の間に折曲支点の前記ヒンジを配設してなることを特徴とする、連動引分式折戸装置。
【請求項２】
前記ガイドレールは、前記上枠部に固定するアウターレールに対し、リテーナで保持した多数のボールを介してスライド自在にインナーレールを係合した構造のスライドレールで、前記インナーレールに前記スライダを取り付けてなることを特徴とする、請求項１に記載の連動引分式折戸装置。
【請求項３】
前記折戸には、隣り合う前記戸先側パネルの上端面の戸先位置にそれぞれ位置決め板を固定し、一方の位置決め板には、引分戸の全閉時に他方の位置決め板と向き合う先端に係合凸部を設け、他方の位置決め板には、一方の位置決め板と向き合う側の先端に係合凹部を設け、前記引分戸の全閉時に、両位置決め板の係合凸部と係合凹部の嵌め合いで左右の前記折戸を直列に繋いでなることを特徴とする、請求項１又は２に記載の連動引分式折戸装置。
【発明の詳細な説明】
【技術分野】
【０００１】
本発明は、一対の折戸を左右に開閉する折戸式の引分戸の中にあって、一側の折戸を開閉操作すれば、それに連動して他側の折戸も開閉する、身障者や要介護者等にとっても使い勝手のよい連動引分式折戸装置に関する。
【背景技術】
【０００２】
一般に、引分戸は、開時に開口部の面積を比較的広く確保できるため、例えばストレッチャーやベットが通過する病院等の施設に、好んで設置される一方で、同じ引分戸の中でも、引戸式のものは、開口部の左右に壁等に沿って引戸の引込みスペースを確保する必要があるため、通常、開口部の横に壁などのない箇所には、折戸式の引分戸が付設される。
【０００３】
しかし、折戸式の引分戸では、例えば開時に、通常、一方のハンドル等を持って一側の折戸を折り曲げて開放してから、他方のハンドル等を持って他側の折戸を折り曲げて開放して初めて、全開する構造であるため、例えば車椅子を利用する身障者や要介護者等が１人で同じように開閉操作するには、そのたびに左右に移動しなければならず、身障者等にとっては容易ではなく不便であるという欠点があった。そこで、従来の引分式折戸装置の中には、電動モータを駆動して左右の折戸を連動させて自動的に開閉する構造とし、身障者等によっても簡単に開閉操作できるようにしたものが見られる。
【特許文献１】特開２００２−１３３５２号公報
【発明の開示】
【発明が解決しようとする課題】
【０００４】
ところが、従来、上述のように電動モータを用いた連動引分式折戸装置では、それだけ全体に装置が複雑で大型になり、コストも高くなるという大きな問題があった。そこで、従来から、手動により左右折戸が機械的に連動する簡略な構造の引分式折戸装置が提供されることが強く望まれている。
【課題を解決するための手段】
【０００５】
そこで、本発明者らは、上述した従来の課題を解決すべく、鋭意開発研究を重ね、車椅子を利用する身障者や要介護者等によっても、手動によって簡単に左右折戸が機械的に連動する簡略な構造からなる、本発明の連動引分式折戸装置を完成させるに至った。即ち、請求項１に記載の発明は、たとえば以下に示す図示実施の形態のとおり、２枚のパネルを折り曲げ自在に連結した左右一対の折戸１０・１１を直列に配設して面一な引分戸Ｄを形成し、その引分戸Ｄの開時は、一側の折戸１０が折れ曲がる開放初期動作に、折戸連動機構Ａによって連動させて他側の折戸１１を折り曲げながら、前記引分戸Ｄを左右に開放する連動引分式折戸装置において、前記引分戸Ｄは、左右の前記折戸１０・１１を、それぞれ２枚の前記パネル１８・１９を折曲支点のギヤヒンジ２１のようなヒンジを介して折り曲げ自在に連結すると共に、戸尻側の前記パネル１７・２０をそれぞれ戸枠Ｆに第１回動支点の枢軸２８・２９を中心として回動自在に支持する一方、前記折戸連動機構Ａは、前記引分戸Ｄに対し、前記戸枠Ｆの上枠部１２と直交する前記折戸１０・１１の折り込み方向に横にずらして前記上枠部１２の長さ方向に沿って固定するガイドレール３５と、それぞれ下面に有した突起係合穴４２を下向きとし、上部を前記ガイドレール３５でスライド自在に保持する一対のスライダ４０・４１と、前記上枠部１２の両端側に回転自在に軸支した左右一対の滑車４８・４８間に掛け回し、一側の直線ワイヤー部５０ａに一方の前記スライダ４０を締結する一方、他側の直線ワイヤー部５０ｂに他方の前記スライダ４１を締結して往復回動可能に巻装した連動ワイヤー５０と、前記折戸１０・１１の隣り合う戸先側パネル１８・１９の上端に固定し、それら戸先側パネル１８・１９から前記折戸１０・１１の折り込み方向と反対向きに突設した取付部材２５・２６と、該取付部材２５・２６にそれぞれ立設して前記スライダ４０・４１の前記突起係合穴４２に係合する第２回動支点の押圧突起３０・３１と、を備え、第２回動支点の該押圧突起３０・３１と第１回動支点の前記枢軸２８・２９とを前記折戸１０・１１の折り込み方向前後にずらし、両回動支点の間に折曲支点の前記ヒンジを配設してなることを特徴とする。
【０００６】
請求項２に記載の発明は、請求項１に記載の連動引分式折戸装置において、たとえば以下に示す図示実施の形態のとおり、記ガイドレール３５は、前記上枠部１２に固定するアウターレール３６に対し、リテーナ３８で保持した多数のボール３９…を介してスライド自在にインナーレール３７を係合した構造のスライドレールで、前記インナーレール３７に前記スライダ４０・４１を取り付けてなることを特徴とする。
【０００７】
請求項３に記載の発明は、請求項１又は２に記載の連動引分式折戸装置において、たとえば以下に示す図示実施の形態のとおり、前記折戸には、隣り合う前記戸先側パネル１８・１９の上端面の戸先位置にそれぞれ位置決め板３２・３３を固定し、一方の位置決め板３２には、引分戸の全閉時に他方の位置決め板と向き合う先端に係合凸部３２ａを設け、他方の位置決め板３３には、一方の位置決め板３２と向き合う側の先端に係合凹部３３ａを設け、前記引分戸Ｄの全閉時に、両位置決め板３２・３３の係合凸部３２ａと係合凹部３３ａの嵌め合いで左右の前記折戸１０・１１を直列に繋いでなることを特徴とする。
【発明の効果】
【０００８】
請求項１に記載の発明では、たとえ一対の折戸を左右に開閉する折戸式の引分戸であっても、いずれか一側の折戸を開閉操作すると、その開閉初期動作に従って、一側の折戸上の押圧突起に押されて一方のスライダが片側へスライドして連動ワイヤーを回動し、その連動ワイヤーの一方のスライダとは反対の他側の直線ワイヤー部に締結した他方のスライダを、その他側の直線ワイヤー部の移動に従って、一方のスライダと反対の他側へスライドさせ、この他方のスライダに他側の折戸上の押圧突起が押されて、他側の折戸も、一側の折戸の開閉動作に連動して開閉する。従って、請求項１に記載の発明によれば、引分戸の開閉時は、その開閉操作のたびに引分戸の手前でいちいち左右に移動しなくてもよく、車椅子を利用する身障者や要介護者等であっても、その場で簡単に開閉操作することができ、しかも、電動式ではなく、手動によって左右折戸が機械的に連動する簡略な構造であるため、全体に装置の簡略化や低コスト化を実現することができる。
【０００９】
加えて、請求項１に記載の発明では、左右の折戸が面一に突っ張った状態で全閉した引分戸を開ける場合でも、いずれか一側の折戸が折り曲げ始まると、この折戸の折れ曲がり初期動作に従って、転回する戸先側パネル上の押圧突起が係合した一方のスライダが押されて、ガイドレールに沿って戸尻側へ向けスライドし、それと一体に連動ワイヤーが一方向に回動し始める。すると、連動ワイヤーの他側の直線ワイヤー部に締結した他方のスライダが他側直線ワイヤー部の移動に従って、一方のスライダと反対の戸尻側へスライドし、この他方のスライダに戸先側パネル上の押圧突起が押される。すると、本発明の折戸連動機構では、この第２回動支点である押圧突起と、第１回動支点である折戸の枢軸とを折戸の折り込み方向前後にずらし、両回動支点の間に折曲支点のヒンジを配設した構成であるため、他方のスライダに戸先側パネル上の押圧突起が押されると、それを契機として、他側の折戸も何ら抵抗を受けることなく、一側の折戸の折れ曲がり動作に連動し、ヒンジを折曲支点として折り曲がり動作を始動する。従って、請求項１に記載の発明によれば、左右の折戸が面一に突っ張った状態で全閉した引分戸を開けるときでも、折戸は、別途に複雑な蹴り出し機構を付設する必要なく、スムーズに抵抗なく折れ曲がり、車椅子を利用する身障者や要介護者等によっても、開放操作を負荷なく極めて容易に行うことができる。そして、複雑な蹴り出し機構を必要としないことから、それだけ構造がシンプルで、部品点数が少なく済み、その結果、より一層の低コスト化を実現することができる。
【００１０】
請求項２に記載の発明によれば、アウターレールとの間で多数のボールを転動させてスライドするインナーレールにスライダを取り付けた構成であるため、転回しながら折れ曲がる折戸の動作に基づいてスライダを摺動させるときでも、スライダはボールの転動を介して折戸の折り曲がり動作に馴染んで引っ掛かることなく円滑に摺動することができ、その結果、左右の折戸を常にスムーズに連動させて開閉操作することができる。
【００１１】
請求項３に記載の発明によれば、引分戸の全閉時に、位置決め板の係合凸部と係合凹部の嵌め合いで、左右の折戸を直列に繋いで、フラつかないように面一状態を保持することができる。
【発明を実施するための最良の形態】
【００１２】
以下、図面を参照しつつ、本発明の最良の実施形態について説明する。
【００１３】
図１は、本発明による連動引分式折戸装置を引分戸の全閉状態において示す組立斜視図、図２は、連動引分式折戸装置の分解斜視図である。図示例の連動引分式折戸装置は、戸枠Ｆに左右一対の折戸１０・１１からなる引分戸Ｄを吊設し、左右の折戸１０・１１が折戸連動機構Ａで連動して開閉するように組み付けた構造になっている。
【００１４】
戸枠Ｆは、天井側の上枠部１２と、左右に向かい合う一対の縦枠部１３・１４とで矩形に扉開口部を枠付けし、縦枠部１３・１４の上端側と下端側に、それぞれ左右の折戸１０・１１を回動自在に案内する上部アングル１５と下部アングル１６を固着している。一方、折戸１０・１１は、それぞれ２枚のパネル１７・１８、１９・２０を、折曲支点のギヤヒンジ２１の歯の噛み合いを介して折り曲げ自在に連結し、戸尻側パネル１７・２０の上端面１７ａ・２０ａにおいて戸尻側に上ヒンジプレート２２を固着し、下端面の戸尻側に下ヒンジプレート２３を固着している。そして、下ヒンジプレート２３の筒穴２３ａに下部アングル１６の枢軸２８を、上部アングル１５のガイド穴１５ａに上ヒンジプレート２２の枢軸２９を、それぞれ折戸１０・１１の第１回動支点として嵌着し、これによって、戸尻側パネル１７・２０を縦枠部１３・１４にそれぞれ回動自在に取り付けて引分戸Ｄを吊持する。なお、折戸１０・１１には、戸先側パネル１８の内外両板面にバーハンドルｈ１を、戸先側パネル１９の内外両板面にｈ２を付設している。
【００１５】
そこで、図示連動引分式折戸装置は、引分戸Ｄ側において、折戸１０・１１上に左右一対の取付部材２５・２６および押圧突起３０・３１を備える一方、戸枠Ｆ側において、ガイドレール３５と、一対のスライダ４０・４１と、一対の滑車組立体４５・４６と、連動ワイヤー５０を備え、これらで折戸連動機構Ａを構成し、バーハンドルを持って一側の折戸を開閉操作すれば、その開閉操作に連動して他側の折戸も開閉する構造になっている。
【００１６】
即ち、折戸連動機構Ａは、折戸１０・１１側において、隣り合う戸先側パネル１８・１９の上端面１８ａ・１９ａの戸先寄りに、それぞれ取付部材２５・２６を固定する。取付部材２５・２６は、金属製の取付板２５ａ・２６ａに樹脂製の軸保持ピース２５ｂ・２６ｂを固着してなる。軸保持ピース２５ｂ・２６ｂには、折戸１０・１１の第２回動支点として、上軸部側を上向きに突出させた状態でピン状の押圧突起３０・３１を立設する。そして、取付部材２５・２６は、それぞれ軸保持ピース２５ｂ・２６ｂを戸先側パネル１８・１９から、折戸１０・１１の折り込み方向と反対向き（図中手前）に突出させた状態で、取付板２５ａ・２６ａを、戸先側パネル１８・１９の上端面１８ａ・１９ａの戸先寄りにねじ止めしてなる。
【００１７】
なお、折戸１０・１１には、この隣り合う戸先側パネル１８・１９の上端面１８ａ・１９ａの戸先位置に、それぞれ位置決め板３２・３３を固定している。一方の位置決め板３２は、引分戸Ｄの全閉時に他方の位置決め板３３と向き合う先端に、係合凸部３２ａを有し、他方の位置決め板３３は、一方の位置決め板３２と向き合う側の先端に、係合凹部３３ａを有する。そして、位置決め板３２・３３の係合凸部３２ａと係合凹部３３ａの嵌め合いで、左右の折戸１０・１１を直列に繋いで、フラつかないように面一状態を保持してなる。
【００１８】
一方、折戸連動機構Ａにおいて、戸枠Ｆ側に組み付けるガイドレール３５は、アウターレール３６と、インナーレール３７と、リテーナ３８と、ボール３９を備えた薄型スライドレールからなっている。アウターレール３６は、金属プレートを用い、図３でも示すように、平らな取付板部３６ａの両側縁を互いに向き合う内向きに湾曲させてボールガイド部３６ｂを形成してなる。インナーレール３７は、アウターレール３６の長さに所定の開閉ストロークの距離を差し引いた長さの短い帯状金属プレートを用い、中央で断面略コ形状に屈曲させた平らな取付部の両側縁を互いに離れる外向きに湾曲させてボールガイド部３７ａを形成してなる。リテーナ３８は、長尺な金属プレートを用いて曲げ成形し、平行なリテーナ本体部３８ａにコ状に屈曲させた多数の支持片部３８ｂ…を連設し、各支持片部３８ｂにそれぞれ保持穴を形成し、それら保持穴にそれぞれ金属製ボール３９…を嵌着して転動自在に保持してなる。
【００１９】
ガイドレール３５は、このリテーナ３８を、図４でも示すように、アウターレール３６に対し、保持したボール３９を左右のボールガイド部３６ｂに係合させて嵌入し、インナーレール３７を、左右のボールガイド部３７ａをボール３９に係合させてリテーナ３８内に嵌入し、リテーナ３８を介してアウターレール３６に相対的に摺動可能に嵌合して組み立ててなる。そして、インナーレール３７を摺動させると、ボール３９…が両レール３６・３７間で転動し、それらボール３９に押されてリテーナ３８がアウターレール３６に対して所定開閉ストロークの略１／２分だけ移動すると同時に、一方で、インナーレール３７がアウターレール３６に対し所定開閉ストロークだけ相対移動するように設定されている。そこで、かかる薄型構造のガイドレール３５は、全体を、図１および図５に示すように、引分戸Ｄに対して戸枠Ｆの上枠部１２と直交する折戸１０・１１の折り込み方向に横にずらした位置で、アウターレール３６の取付板部３６ａにおいて上枠部１２の長さ方向に沿って固定する。
【００２０】
スライダ４０・４１は、それぞれ矩形な樹脂製ピースで、図６でも示すように、下面において、略中央に突起係合穴４２を厚さ方向に穿設すると共に、突起係合穴４２を間に挟んだ両側に平行な２列のワイヤー係合溝５５を並設してなる。ワイヤー係合溝５５は、長さ方向途中で溝幅を一段大きくし、そこに後述のワイヤー取付管５１・５２を嵌め込む細筒穴状の嵌込み穴部６０を形成してなる。かかるスライダ４０・４１は、上面を矩形な取付プレート４３を介してガイドレール３５のインナーレール３７に固定してスライド自在に保持すると共に、各々の突起係合穴４２に戸先側パネル１８・１９上の押圧突起３０・３１を係合させてなる。これによって、折戸連動機構Ａでは、図１および図７に示すように、引分戸Ｄが面一状態となる全閉状態にあるとき、第２回動支点の押圧突起３０・３１と第１回動支点の枢軸２８・２９とを、折戸１０・１１の折り込み方向前後にずらし、両回動支点の間に折曲支点のギヤヒンジ２１を配設した構成になっている。
【００２１】
滑車組立体４５・４６は、図２および図８に示すように、ハット型の滑車ブラケット４７と滑車４８を備え、滑車４８の車軸を、滑車ブラケット４７に有した長穴４９に挿通して枢支し、滑車ブラケット４７で滑車４８を回転可能に且つブラケット長さ方向に移動可能に横に寝かせて組み立て、滑車４８・４８間に掛け回す連動ワイヤー５０の張り具合を調整可能な構造になっている。そして、滑車組立体４５・４６は、ガイドレール３５を間に挟んで、図１に示すように、上枠部１２の長さ方向両端に互いの滑車４８・４８を対向させて取り付ける。
【００２２】
連動ワイヤー５０は、図２および図６に示すように、一対の第１および第２ワイヤー取付管５１・５２に通してそれらをワイヤー途中で保持し、エンドレスに繋いだ金属製ワイヤーからなる。ワイヤー取付管５１・５２は、その管径方向に穿設してパイプ穴と連通する雌ねじ穴を有してなる。かかる連動ワイヤー５０は、図７に示すように、滑車４８・４８間に細長いループ状に掛け回すと共に、図６に示すように、平行な直線ワイヤー部５０ａ・５０ｂをそれぞれワイヤー係合溝５５に係合させてスライダ４０・４１に連結する。そして、スライダ４０・４１の突起係合穴４２にそれぞれ戸先側パネル１８・１９上の押圧突起２５・２６を係合し、そのうちの一方のスライダ４０には、一側の嵌込み穴部６０に第１ワイヤー取付管５１を嵌め込み、その雌ねじ穴に止めねじを捩じ込んで、一方のスライダ４０を一側の直線ワイヤー部５０ａに締結する。一方、他方のスライダ４１の他側の嵌込み穴部６０に第２ワイヤー取付管５２を嵌め込み、その雌ねじ穴に止めねじを捩じ込んで、他方のスライダ４１を他側の直線ワイヤー部５０ｂに締結して連動ワイヤー５０を滑車４８・４８間で往復回動可能に巻装する。
【００２３】
さて、図示例において、引分戸Ｄの全閉時は、図１および図７で示すように、位置決め板３２・３３の係合凸部３２ａと係合凹部３３ａの嵌め合いで、左右の折戸１０・１１を直列に繋いで、フラつかないように突っ張った面一状態に保持している。そこで、全閉状態の引分戸Ｄを開けるときは、例えばバーハンドルｈ１を持って戸先側パネル１８を手前に引くと、図９および図１０に示すように、一側の折戸１０が折り曲げ始める。すると、折戸連動機構Ａが作動し、折戸１０の折れ曲がり初期動作に従って、転回する戸先側パネル１８上の押圧突起３０に一方のスライダ４０が押されて、ガイドレール３５のインナーレール３７と一体にアウターレール３６に沿って戸尻側の縦枠１３側へ向けスライドし、それと一体に連動ワイヤー５０が一方向に回動し始める。すると、連動ワイヤー５０の他側の直線ワイヤー部５０ｂに締結した他方のスライダ４１が他側直線ワイヤー部５０ｂの移動に従って、一方のスライダ４０と反対の戸尻側の縦枠１４側へスライドし、この他方のスライダ４１に戸先側パネル１９上の押圧突起３１が押される。すると、折戸連動機構Ａでは、第２回動支点の押圧突起２６と第１回動支点の枢軸２８・２９を、折戸１１の折り込み方向前後にずらし、両回動支点の間に折曲支点のギヤヒンジ２１を配設した構成であるため、スライダ４１に戸先側パネル１９上の押圧突起３１が押されると、それを契機として、他側の折戸１１も、何ら抵抗を受けることなく一側の折戸１０の折れ曲がり動作に連動し、ギヤヒンジ２１を折曲支点として折り曲がり動作を始める。
【００２４】
それから、更に戸尻側パネル１７を押し続けて一側の折戸１０を、図１１および図１２に示すようにく字状に折り曲げると、この折れ曲がり動作に従って、一方のスライダ４０が押圧突起３０に押されて戸尻側の縦枠１３側へ更にスライドして連動ワイヤー５０を更に一方向へ回動する。すると、連動ワイヤー５０の他側の直線ワイヤー部５０ｂに締結した他方のスライダ４１は、他側の直線ワイヤー部５０ｂの移動に従って、一方のスライダ４０と反対の戸尻側の縦枠１４側へスライドする。すると、この他方のスライダ４１に戸先側パネル１９上の押圧突起３１が押され、それに従って他側の折戸１１も、図１３および図１４に示すように、一側の折戸１０の折れ曲がり動作に連動して更に鋭角に折れ曲がり、その後、両側の折戸１０・１１がそれぞれ折り畳み状態になって左右に開き、引分戸Ｄの扉開口部Ｓを全開する。
【００２５】
他方、連動引分式折戸装置では、同様に引分戸Ｄを開けるときに、以上とは反対のバーハンドルｈ２を持って、戸尻側パネル２０を引いて他側の折戸１１を折り曲げて開放操作する場合は、この他側の折戸１１の折れ曲がり初期動作に従って、今度は、戸先側パネル１９上の押圧突起３１に他方のスライダ４１が押されて、縦枠１４側へ向けスライドし、同じ連動ワイヤー５０を他方向へ回動させ始める。すると、連動ワイヤー５０の一側の直線ワイヤー部５０ａに締結した一方のスライダ４０は、一側の直線ワイヤー部５０ａの移動に従って、縦枠１３側へスライドし、この一方のスライダ４０に戸先側パネル１８上の押圧突起３０が押される。すると、折戸連動機構Ａでは、第２回動支点の押圧突起２５と第１回動支点の枢軸２８・２９を、折戸１０の折り込み方向前後にずらし、同様に両回動支点の間に折曲支点のギヤヒンジ２１を配設した構成であるため、スライダ４０に戸先側パネル１８上の押圧突起３０が押されると、それを契機として、一側の折戸１０も、何ら抵抗を受けることなく他側の折戸１１の折れ曲がり動作に連動し、ギヤヒンジ２１を折曲支点として折り曲がり動作を始める。一側の折戸１１も、こうして他側の折戸１１の折れ曲がり動作に連動して更に鋭角に折れ曲がり、その後は、上述したと同様に、両側の折戸１０・１１がそれぞれ折り畳み状態になって左右に開き、引分戸Ｄの扉開口部Ｓを全開する。
【００２６】
さて反対に、折戸１０・１１を折り畳んで全開状態の引分戸Ｄを閉めるときは、戸先側パネル１８・１９のいずれか一方、例えば一側の折戸１０の戸先側パネル１８を引いて両パネル１７・１８を転回させながら、一側の折戸１０を開く。すると、転回する戸先側パネル１８上の押圧突起２５に押されて一方のスライダ４０が縦枠１４側へ向けスライドし、連動ワイヤー５０を他方向へと回動する。すると、連動ワイヤー５０の他側の直線ワイヤー部５０ｂに締結した他方のスライダ４１は、他側の直線ワイヤー部５０ｂの移動に従って反対の縦枠１３側へ向けスライドする。そうすると、この他方のスライダ４１に戸先側パネル１９上の押圧突起２６が押され、それに従って他側の折戸１１も、一側の折戸１０の転回動作に連動して展開し、その後、位置決め板３２・３３の係合凸部３２ａと係合凹部３３ａとが嵌り合い、左右の折戸１０・１１が面一な状態に繋がって引分戸Ｄの扉開口部Ｓを全閉する。
【図面の簡単な説明】
【００２７】
【図１】本発明に係る連動引分式折戸装置を引分戸の全閉状態において示す斜視図である。
【図２】連動引分式折戸装置の分解斜視図である。
【図３】ガイドレールの構造を示す斜視図である。
【図４】ガイドレールとスライダの取付構造を示す端面図である。
【図５】ガイドレールと折戸の配列関係を示す斜視図である。
【図６】スライダと押圧突起と連動ワイヤーの連結構造を示す斜視図である。
【図７】折戸連動機構の構造を引分戸の全閉状態において示す平面図である。
【図８】滑車組立体の構造を示す斜視図である。
【図９】左右折戸が連動して折り曲がり始まる段階の引分戸を示す斜視図である。
【図１０】左右折戸が連動して折り曲がり始まる段階の折戸連動機構を示す平面図である。
【図１１】左右折戸が連動してく字状に折り曲がる中途段階の引分戸を示す斜視図である。
【図１２】左右折戸が連動してく字状に折り曲がる中途段階の折戸連動機構を示す平面図である
【図１３】左右折戸が連動して鋭角に折り曲がる全開手前の段階の引分戸を示す斜視図である。
【図１４】左右折戸が連動して鋭角に折り曲がる全開手前の段階の折戸連動機構を示す平面図である。
【符号の説明】
【００２８】
Ａ            折戸連動機構
Ｄ            引分戸
Ｆ            戸枠
Ｓ            扉開口部
１０・１１    折戸
１２          上枠部
１７〜２０    折戸のパネル
２１          ギヤヒンジ
２５・２６    取付部材
２８・２９    枢軸
３０・３１    押圧突起
３２・３３    位置決め板
３５          ガイドレール
３６          アウターレール
３７          インナーレール
３８          リテーナ
３９          ボール
４０・４１    スライダ
４２          突起係合穴
４８          滑車
５０          連動ワイヤー
５０ａ        一側の直線ワイヤー部
５０ｂ        他側の直線ワイヤー部
【図１】
2008280766.tif 000003
【図２】
2008280766.tif 000004
【図３】
2008280766.tif 000005
【図４】
2008280766.tif 000006
【図５】
2008280766.tif 000007
【図６】
2008280766.tif 000008
【図７】
2008280766.tif 000009
【図８】
2008280766.tif 000010
【図９】
2008280766.tif 000011
【図１０】
2008280766.tif 000012
【図１１】
2008280766.tif 000013
【図１２】
2008280766.tif 000014
【図１３】
2008280766.tif 000015
【図１４】
2008280766.tif 000016